(57)【要約】【課題】浴室ドアが折れ戸または引き戸であった場合でも、浴室利用後の使用者が浴室内からタオルを取ることができるタオルハンガー付き建具を提供する。【解決手段】タオルハンガー付き建具は、折れ戸または引き戸である浴室ドアと、浴室ドアにおける浴室外に配置されたタオルハンガーと、を備えている。タオルハンガーは、浴室ドアを支持するドア枠における側枠に接続された基端部を有する接続部と、接続部が接続された側枠より浴室外側に配置されたタオル保持部と、を有する。【選択図】図１
2020110347.tif 000002
【特許請求の範囲】
【請求項１】
折れ戸または引き戸である浴室ドアと、
前記浴室ドアにおける浴室外に配置されたタオルハンガーと、
を備え、
前記タオルハンガーは、
前記浴室ドアを支持するドア枠における側枠に接続された基端部を有する接続部と、
前記接続部が接続された前記側枠より浴室外側に配置されたタオル保持部と、
を有することを特徴とするタオルハンガー付き建具。
【請求項２】
前記タオルハンガーの前記接続部は、前記浴室ドアの左右方向における中央に向かうにつれ、前記浴室ドアから離れる方向に延在していることを特徴とする請求項１記載のタオルハンガー付き建具。
【請求項３】
前記タオルハンガーの前記接続部の前記基端部は、前記ドア枠における前記側枠の浴室外側の面に接続されており、
前記タオル保持部と前記浴室ドアとの間に空隙が形成されていることを特徴とする請求項１記載のタオルハンガー付き建具。
【請求項４】
前記タオルハンガーは、前記ドア枠における前記側枠に接続された前記接続部の前記基端部を軸にして、前記浴室ドアから離れる方向へ回動可能であることを特徴とする請求項１〜３のいずれか１つに記載のタオルハンガー付き建具。
【請求項５】
前記タオルハンガーは、前記ドア枠における前記側枠に接続された前記接続部の前記基端部を軸にして、上下方向に回動可能であることを特徴とする請求項１〜３のいずれか１つに記載のタオルハンガー付き建具。
【請求項６】
前記浴室ドアは折れ戸であり、
前記接続部の前記基端部は、前記ドア枠における前記浴室ドアの軸支部が接続された側枠に接続されていることを特徴とする請求項４または５に記載のタオルハンガー付き建具。
【請求項７】
前記浴室ドアは引き戸であり、
前記接続部の前記基端部は、前記ドア枠における戸袋側の側枠に接続されていることを特徴とする請求項４または５に記載のタオルハンガー付き建具。
【請求項８】
前記接続部の前記基端部から前記タオル保持部の先端までの左右方向における長さは、前記ドア枠の左右方向の長さより短いことを特徴とする請求項１〜７のいずれか１つに記載のタオルハンガー付き建具。
【発明の詳細な説明】
【技術分野】
【０００１】
本発明は、タオルハンガー付き建具に関する。
【背景技術】
【０００２】
浴室利用後の使用者が身体を拭くためのタオルを掛けるためのタオルハンガーは知られている。浴室利用後の使用者が身体を拭くためのタオルは、身体が濡れた使用者が浴室外の空間を濡らしてしまうことを防ぐために、浴室内から取れることが好ましい。したがって、このようなタオルハンガーにおいては、例えば、浴室ドアの浴室外側の面に設けられていることが一般的である。すなわち、使用者は、浴室利用後に、浴室ドアを開くことで、浴室ドアの浴室外側の面に設けられているタオルハンガーに掛けてあるタオルを取り、身体を拭くものである。
【先行技術文献】
【特許文献】
【０００３】
【特許文献１】特開２００５−２１１２２０号公報
【発明の概要】
【発明が解決しようとする課題】
【０００４】
しかしながら、浴室ドアが折れ戸または引き戸であった場合、浴室ドアの浴室外側の面は、ドアが開状態の際に隠れてしまうため、使用者は、浴室利用後に、タオルハンガーに掛けてあるタオルを取ることは困難である。
【０００５】
そこで、本発明は、浴室ドアが折れ戸または引き戸であった場合でも、浴室利用後の使用者が浴室内からタオルを取ることができるタオルハンガー付き建具を提供する。
【課題を解決するための手段】
【０００６】
第１の発明のタオルハンガー付き建具は、折れ戸または引き戸である浴室ドアと、前記浴室ドアにおける浴室外に配置されたタオルハンガーと、を備え、前記タオルハンガーは、前記浴室ドアを支持するドア枠における側枠に接続された基端部を有する接続部と、前記接続部が接続された前記側枠より浴室外側に配置されたタオル保持部と、を有することを特徴とする。
第１の発明によれば、タオルハンガーは、浴室ドアの開閉に際して動かない部分であるドア枠における側枠に接続されている。タオルハンガーは、折れ戸または引き戸である浴室ドアが開状態で隠れない。そのため、浴室ドアが折れ戸または引き戸であった場合でも、使用者は、浴室利用後に浴室内から、タオルハンガーのタオル保持部に掛けてあるタオルを取ることができる。
第２の発明は、第１の発明において、前記タオルハンガーの前記接続部は、前記浴室ドアの左右方向における中央に向かうにつれ、前記浴室ドアから離れる方向に延在していることを特徴とする。
第２の発明によれば、浴室ドアから離れる方向に延在した接続部に接続されたタオル保持部と、浴室ドアとの間には十分な空隙が形成される。そのため、浴室を利用した後の使用者が浴室ドアを開いた際に、タオル保持部に保持されたタオルが浴室ドアの動きに巻き込まれてしまうことを抑制できる。
第３の発明は、第１の発明において、前記タオルハンガーの前記接続部の前記基端部は、前記ドア枠における前記側枠の浴室外側の面に接続されており、前記タオル保持部と前記浴室ドアとの間に空隙が形成されていることを特徴とする。
第３の発明によれば、浴室を利用した後の使用者が浴室ドアを開いた際に、タオル保持部に保持されたタオルが浴室ドアの動きに巻き込まれてしまうことを抑制できる。
第４の発明は、第１〜第３の発明のいずれか１つにおいて、前記タオルハンガーは、前記ドア枠における前記側枠に接続された前記接続部の前記基端部を軸にして、前記浴室ドアから離れる方向へ回動可能であることを特徴とする。
第４の発明によれば、タオルハンガーを浴室ドアから離れる方向へ回動させることで、浴室内へ入出する際に、タオルハンガーが邪魔になりにくい。
第５の発明は、第１〜第３の発明のいずれか１つにおいて、前記タオルハンガーは、前記浴室ドアの前記ドア枠における前記側枠に接続された前記接続部の前記基端部を軸にして、上下方向に回動可能であることを特徴とする。
第５の発明によれば、タオルハンガーを上下方向に回動することで、タオルハンガーが浴室の出入り口に重ならないように（または出入り口に重なる部分を減らすように）タオルハンガーを退避でき、浴室内へ入出する際に、タオルハンガーが邪魔になりにくい。
第６の発明は、第４または第５の発明において、前記浴室ドアは折れ戸であり、前記接続部の前記基端部は、前記ドア枠における前記浴室ドアの軸支部が接続された側枠に接続されていることを特徴とする。
第６の発明によれば、回動可能に設けられたタオルハンガーにおいて、その接続部の基端部は、折れ戸である浴室ドアの軸支部が接続された側枠に接続されているため、タオルハンガーを少ない回動距離で退避させて、浴室内へ入出するための通路幅を確保できる。
第７の発明は、第４または第５の発明において、前記浴室ドアは引き戸であり、前記接続部の前記基端部は、前記ドア枠における戸袋側の側枠に接続されていることを特徴とする。
第７の発明によれば、浴室ドアが引き戸の場合には、回動可能なタオルハンガーの接続部の基端部を戸袋側の側枠に接続することで、タオルハンガーを少ない回動距離で退避させて、浴室内へ入出するための通路幅を確保できる。
第８の発明は、第１〜第７の発明のいずれか１つにおいて、前記接続部の前記基端部から前記タオル保持部の先端までの左右方向における長さは、前記ドア枠の左右方向の長さより短いことを特徴とする。
第８の発明によれば、浴室内へ入出する際にタオルハンガーが邪魔になりにくい。
【発明の効果】
【０００７】
本発明によれば、浴室ドアが折れ戸または引き戸であった場合でも、浴室利用後の使用者が浴室内からタオルを取ることができるタオルハンガー付き建具を提供できる。
【図面の簡単な説明】
【０００８】
【図１】本発明の一実施形態のタオルハンガー付き建具の斜視図。
【図２】本発明の一実施形態のタオルハンガー付き建具の横断面図。
【図３】本発明の一実施形態のタオルハンガー付き建具の横断面図。
【図４】本発明の他の実施形態のタオルハンガー付き建具の横断面図。
【図５】本発明の他の実施形態のタオルハンガー付き建具の横断面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の一実施形態のタオルハンガー付き建具１の斜視図である。
【００１１】
タオルハンガー付き建具１は、浴室の内外（浴室と、例えば洗面室または脱衣室との間）を仕切る。図１は、浴室外からタオルハンガー付き建具１を見た斜視図である。
【００１２】
タオルハンガー付き建具１は、浴室ドア２０とタオルハンガー５０とを有する。浴室ドア２０の上方、左方、および右方には建材側の部材である接続枠７０が設けられている。浴室ドア２０と接続枠７０との間にはドア枠１０が設けられている。浴室ドア２０は、ドア枠１０に支持されている。
【００１３】
ドア枠１０は、浴室ドア２０の上方に設けられた上枠１１と、浴室ドア２０の左方に設けられた側枠１２と、浴室ドア２０の右方に設けられた側枠１３（図２に示す）とを有する。
【００１４】
浴室ドア２０は、折れ戸または引き戸である。図１には、折れ戸である浴室ドア２０を示す。浴室ドア２０は、２枚の障子２１ａ、２１ｂと、２枚の障子２１ａ、２１ｂを接続するヒンジ部２２と、一方の障子２１ａに設けられた開放側端部２３と、他方の障子２１ｂに設けられた軸支部２４（図２に示す）とを有する。軸支部２４は、側枠１３に接続されている。
【００１５】
軸支部２４を支点にして、ヒンジ部２２が浴室内に入り込むように２枚の障子２１ａ、２１ｂが折れることで浴室ドア２０が開かれる。開放側端部２３が設けられた障子２１ａにおける浴室外側の面には取っ手２５が設けられている。
【００１６】
または、浴室ドア２０は、障子が水平方向に移動することで開閉される引き戸であってもよい。
【００１７】
タオルハンガー５０は、浴室ドア２０における浴室外に配置されている。
【００１８】
図２は、タオルハンガー付き建具１の水平方向に沿った横断面図である。図２において、折れ戸である浴室ドア２０が少し開いた状態の位置を模式的に２点鎖線で表している。
【００１９】
タオルハンガー５０は、接続部３０と、タオル保持部４０とを有する。接続部３０は、ドア枠１０における側枠１３に接続された基端部３１を有する。
【００２０】
タオル保持部４０は、接続部３０が接続された側枠１３より浴室外側に配置されている。すなわち、タオル保持部４０は、浴室ドア２０の前後方向において、接続部３０が接続された側枠１３よりも浴室ドア２０から離れている。接続部３０は、浴室ドア２０の左右方向における中央に向かうにつれ、浴室ドア２０から離れる方向に延在している。タオル保持部４０は、接続部３０から例えば水平に延在している。タオル保持部４０と浴室ドア２０との間に空隙が形成されている。
【００２１】
ドア枠１０における一対の側枠１２、１３のうちの一方の側枠１３には浴室内１００を換気する通気口６０が形成され、その側枠１３の横方向の幅は、他方の側枠１２の横方向の幅よりも大きい。通気口６０は、浴室内１００と浴室外２００に通じている。また、側枠１３には、浴室ドア２０の軸支部２４が接続されている。側枠１３の浴室外側の面に、タオルハンガー５０の接続部３０の基端部３１が接続されている。
【００２２】
接続部３０の基端部３１からタオル保持部４０の先端までの左右方向における長さＬ１は、ドア枠１０の左右方向の長さ（側枠１２と側枠１３との間の距離）Ｌ２より短い。
【００２３】
図３に示すように、タオルハンガー５０は、側枠１３に接続された接続部３０の基端部３１を軸にして、浴室ドア２０から離れる方向へ回動可能である。
【００２４】
または、タオルハンガー５０は、図１において２点鎖線で示すように、側枠１３に接続された接続部３０の基端部３１を軸にして、上下方向に回動可能である。
【００２５】
図４は、他の実施形態のタオルハンガー付き建具１の水平方向に沿った横断面図である。図４において、折れ戸である浴室ドア２０が少し開いた状態の位置を模式的に２点鎖線で表している。
【００２６】
タオルハンガー５０は、ドア枠１０における側枠１３に接続された基端部３２ａを有する接続部３２と、接続部３２に接続されたタオル保持部４０とを有する。
【００２７】
タオル保持部４０は、接続部３２が接続された側枠１３より浴室外側に配置されている。すなわち、タオル保持部４０は、浴室ドア２０の前後方向において、接続部３２が接続された側枠１３よりも浴室ドア２０から離れている。タオル保持部４０と浴室ドア２０との間に空隙が形成されている。タオル保持部４０は例えば水平に延在している。
【００２８】
側枠１３には浴室ドア２０の軸支部２４が接続され、その側枠１３の浴室外側の面に、タオルハンガー５０の接続部３２が接続されている。
【００２９】
接続部３２の基端部３２ａからタオル保持部４０の先端までの左右方向における長さＬ１は、ドア枠１０の左右方向の長さ（側枠１２と側枠１３との間の距離）Ｌ２より短い。
【００３０】
図５に示すように、タオルハンガー５０は、側枠１３に接続された接続部３２の基端部３２ａを軸にして、浴室ドア２０から離れる方向へ回動可能である。
【００３１】
または、タオルハンガー５０は、側枠１３に接続された接続部３２の基端部３２ａを軸にして、上下方向に回動可能である。
【００３２】
以上説明した実施形態によれば、タオルハンガー５０は、浴室ドア２０の開閉に際して動かない部分であるドア枠１０における側枠１３に接続されている。タオルハンガー５０は、折れ戸または引き戸である浴室ドア２０が開状態で隠れない。そのため、浴室ドア２０が折れ戸または引き戸であった場合でも、使用者は、浴室利用後に浴室内から、タオルハンガー５０のタオル保持部４０に掛けてあるタオルを取ることができる。
【００３３】
図２および図３に示す実施形態においては、タオルハンガー５０の接続部３０は、浴室ドア２０の左右方向における中央に向かうにつれ、浴室ドア２０から離れる方向に延在している。このような接続部３０に接続されたタオル保持部４０と、浴室ドア２０との間には十分な空隙が形成される。そのため、浴室を利用した後の使用者が浴室ドア２０を開いた際に、タオル保持部４０に保持された（掛けられた）タオルが浴室ドア２０の動きに巻き込まれてしまうことを抑制できる。
【００３４】
図４および図５に示す実施形態においては、タオルハンガー５０の接続部３２は、ドア枠１０における側枠１３の浴室外側の面に接続されており、タオル保持部４０と浴室ドア２０との間に空隙が形成されている。そのため、浴室を利用した後の使用者が浴室ドア２０を開いた際に、タオル保持部４０に保持された（掛けられた）タオルが浴室ドア２０の動きに巻き込まれてしまうことを抑制できる。
【００３５】
図２および図３に示すタオルハンガー５０は、側枠１３に接続された接続部３０の基端部３１を軸にして、浴室ドア２０から離れる方向へ回動可能であり、図４および図５に示すタオルハンガー５０は、側枠１３に接続された接続部３２の基端部３２ａを軸にして、浴室ドア２０から離れる方向へ回動可能である。
【００３６】
このようにタオルハンガー５０を浴室ドア２０から離れる方向へ回動させることで、浴室内１００へ入出する際に、タオルハンガー５０が邪魔になりにくい。
【００３７】
または、図２および図３に示すタオルハンガー５０は、側枠１３に接続された接続部３０の基端部３１を軸にして、上下方向に回動可能であり、図４および図５に示すタオルハンガー５０は、側枠１３に接続された接続部３２の基端部３２ａを軸にして、上下方向に回動可能である。
【００３８】
このようにタオルハンガー５０を上下方向に回動することで、タオルハンガー５０が浴室の出入り口に重ならないように（または出入り口に重なる部分を減らすように）タオルハンガー５０を退避でき、浴室内１００へ入出する際に、タオルハンガー５０が邪魔になりにくい。
【００３９】
また、回動可能に設けられたタオルハンガー５０において、その接続部３０、３２は、一対の側枠１２、１３のうちの浴室ドア２０の軸支部２４が接続された側枠１３に接続されているため、タオルハンガー５０を少ない回動距離で退避させて、浴室内１００へ入出するための通路幅を確保できる。
【００４０】
浴室ドア２０が引き戸の場合には、接続部３０、３２の基端部を戸袋側の側枠に接続することで、タオルハンガー５０を少ない回動距離で退避させて、浴室内１００へ入出するための通路幅を確保できる。
【００４１】
また、タオルハンガー５０の接続部３０、３２の基端部からタオル保持部４０の先端までの左右方向における長さは、ドア枠１０の左右方向の長さより短いため、浴室内１００へ入出する際にタオルハンガー５０が邪魔になりにくい。
【００４２】
以上、具体例を参照しつつ本発明の実施形態について説明した。しかし、本発明は、それらに限定されるものではなく、本発明の技術的思想に基づいて種々の変形が可能である。
【符号の説明】
【００４３】
１…タオルハンガー付き建具、１０…ドア枠、１２,１３…側枠、２０…浴室ドア、３０,３２…接続部、３１,３２ａ…基端部、４０…タオル保持部、５０…タオルハンガー
【図１】
2020110347.tif 000003
【図２】
2020110347.tif 000004
【図３】
2020110347.tif 000005
【図４】
2020110347.tif 000006
【図５】
2020110347.tif 000007